(57)【要約】      （修正有）【課題】建設作業工程上、鋼管筋かい固定用の隅金具を設置する前に先ヤリ工事でホールダウンボルトを土台に固定した場合であっても容易に設置できる鋼管筋かい固定用の隅金具、止金物及び耐震装置を提供する。【解決手段】柱材と、桁梁または土台とからなる軸枠の隅角部に設置されるものであって、背面部２とベース板３とを備える隅金具１において、背面部またはベース板は、隅金具を隅角部に設置するにあたり障害となる物を回避するための回避孔を有する。また、回避孔は、背面部に設けられた背抜き部１３の第一孔と、ベース板に設けられた第二孔とからなり、第一孔は、背面部の下端辺から上方向に向かって形成され、第二孔は、ベース板の根本側の端辺からベース板の先端方向に向かって形成され、第一孔と第二孔とは一連の空間を形成する。【選択図】図１
0003193466.tif 000002
【実用新案登録請求の範囲】
【請求項１】
柱材と、桁梁または土台とからなる軸枠の隅角部に設置されるものであって、背面部とベース板とを備える隅金具において、
前記背面部または前記ベース板は、前記隅金具を前記隅角部に設置するにあたり障害となる物を回避するための回避孔を有することを特徴とする隅金具。
【請求項２】
前記回避孔は、前記背面部に設けられた第一孔と、前記ベース板に設けられた第二孔とからなり、
前記第一孔は、前記背面部の下端辺から上方向に向かって形成され、
前記第二孔は、前記ベース板の根本側の端辺から前記ベース板の先端方向に向かって形成され、
前記第一孔と前記第二孔とは一連の空間を形成することを特徴とする請求項１記載の隅金具。
【請求項３】
前記第一孔は、前記背面部の下端辺から上端辺にかけて形成されることを特徴とする請求項２記載の隅金具。
【請求項４】
前記背面部及び前記ベース板は、背面部とベース板とをＬ字型に保持するための保持部材を備えることを特徴とする請求項１から請求項３の何れか１項に記載の隅金具。
【請求項５】
前記背面部および前記ベース板の各幅方向の中心線が形成する面状に、筋かいを固定するための筋かい固定板を備えることを特徴とする請求項１から請求項４の何れか１項に記載の隅金具。
【請求項６】
木造軸構法の柱材と桁梁や土台とからなる軸枠の隅角部を隅金具で固定し、前記軸枠の対角に固定された隅金具同士を筋かいで固定する耐震装置において、
前記隅金具は、背面部とベース板とを備え、
前記背面部または前記ベース板は、前記隅金具を前記隅角部に設置するにあたり障害となる物を回避するための回避孔を有することを特徴とする耐震装置。
【請求項７】
柱材に設置される止金物において、
前記止金物に備えられた背面部は、前記止金物を前記柱材に設置するにあたり障害となる物を回避するための回避孔を有することを特徴とする止金物。
【考案の詳細な説明】
【技術分野】
【０００１】
本考案は、隅金具、止金物及び耐震装置に関し、特に木造家屋の柱材と桁梁や土台とからなる軸枠の隅角部に固定する鋼管筋かい取付け用の隅金具と止金物、および軸枠の対角に固定された隅金具同士を鋼管筋かいとハイテンションボルトで固定する耐震装置に関する。
【背景技術】
【０００２】
従来の隅金具４１を図１０に示す。
従来から中小規模木造軸組家屋の柱材４２は、布基礎上に敷設された土台４３の所定の位置に柱材４２をホゾ差し、大釘打ちで留め付けられている。しかし、近年では、地震が発生した時に柱抜けなどが生じないように柱脚金物による補強が多くなり、なかでも主要な柱材４２の側面にホールダウンボルト４４を支持するためのホールダウン金物４５を取付け、柱材４２の近傍にホールダウンボルト４４を設置するホールダウン工法が増えている。
【０００３】
図１０のホールダウンボルト４４は、柱材４２と土台４３とからなる隅角部に取付けられるものである。また、一般木造家屋の耐震性を向上させるための筋かい４６も隅角部に固定された筋かい固定板４１に取り付けられる。すなわち、ホールダウンボルト４４と筋かい４６は共に隅角部に取り付けられるので、両者は互いに干渉し合いバッティングすることが多い。
これに対し、図１１は、上記干渉を回避するため、図１０のホールダウン金物４５と筋かい固定板４１とを一体化させた隅金具５１である。この隅金具５１は、背面板５２とベース板５３とを備えている。背面板５２及びベース板５３は、金属製の一枚板であり、柱材４２や土台４３に隅金具を取り付けるための取付孔５４を有しているが、取付孔５４以外には、孔や隙間を有していない。なお、この隅金具５１は、比較的加工しやすい木製筋かいに主に使用されるものである。
【０００４】
次に、鋼管筋かい７２に使用される隅金具６１を図１２に示す。図１２の隅金具６１は、背面板６２とベース板６３とを備えている。背面板６２及びベース板６３は、金属製の一枚板であり、柱材４２や土台４３に隅金具６１を取り付けるための取付孔６４を有しているが、取付孔６４以外には、孔や隙間を有していない。すなわち、隅金具５１及び隅金具６１は、共に、取付孔５４または取付孔６４を有しているが、それ以外には孔や隙間を有していないのである。
【先行技術文献】
【特許文献】
【０００５】
【特許文献１】実用新案登録第３０９３４９４号
【特許文献２】特開２０１０−２６１１６０号
【考案の概要】
【考案が解決しようとする課題】
【０００６】
家屋の工事には施工順序があり、隅金具６１を設置する前に、先やり工事としてホールダウンボルト４４を隅角部に取り付ける場合がある。
また、図１３の隅角部７１のように、本来であればホールダウンボルト４４を設置すべきでない隅角部に、ホールダウンボルト４４の設置してしまうこともある。他部材との干渉を避けるため、ホールダウンボルト４４の設置位置を変更する場合があるからである。
このように、先にホールダウン金物４５とホールダウンボルト４４を取り付けてしまった場合、従来の技術ではこれが障害となって隅金具５１や隅金具６１を設置することができないという問題があった。隅金具５１及び隅金具６１の背面板５２・背面板６２及びベース板５３・ベース板６３には、ホールダウンボルト４４を通すための孔や隙間がないからである。すなわち、このホールダウンボルト４４のような障害物が取付け予定部構面の隅角部にあると、隅金具５１及び隅金具６１を隅角部に設置できないという問題がある。
また、柱材４２の近傍或いは隅角部には、ホールダウンボルト４４の他にも様々な金属製仕口部材が固定されることがあり、この部材が障害となって隅金具５１及び隅金具６１を設置できないことが多くなっている。
【０００７】
本考案は、このような課題を解決するためものであり、耐震装置として鋼管筋かい固定隅金具を設置する前にホールダウンボルトを土台に固定した場合など、隅角部に何らかの障害物がある場合でも容易に設置できる鋼管筋かい取付け用の隅金具、止金物及び耐震装置を提供するものである。
【課題を解決するための手段】
【０００８】
上記問題を解決するため、本考案では、柱材と桁梁または土台とからなる軸枠の隅角部に設置されるものであって、背面部とベース板とを備える隅金具において、前記背面部または前記ベース板は、前記隅金具を前記隅角部に設置するにあたり障害となる物を回避するための回避孔を有することを特徴とする隅金具が提供される。
【０００９】
本考案に係る隅金具は、前記背面部または前記ベース板に、前記隅金具を前記隅角部に設置するにあたり障害となる物を回避するための回避孔を有する。
これにより、隅金具を設置する際、軸枠の隅角部に障害物があっても、その障害物が背面部またはベース板に設けられた回避孔により回避される。
【００１０】
また、上記問題を解決するため、本考案では、柱材に設置される止金物において、前記止金物に備えられた前記背面部は、前記止金物を前記柱材に設置するにあたり障害となる物を回避するための回避孔を有することを特徴とする止金物が提供される。
【００１１】
本考案に係る止金物は、前記背面部に、前記止金物を前記柱材に設置するにあたり障害となる物を回避するための回避孔を有する。
これにより、止金物を設置する際、柱材に障害物があっても、その障害物が背面部に設けられた回避孔により回避される。
【００１２】
更に、上記問題を解決するため、本考案では、木造軸構法の柱材と桁梁や土台とからなる軸枠の隅角部を隅金具で固定し、前記軸枠の対角に固定された隅金具同士を筋かいで固定する耐震装置において、前記隅金具は、背面部とベース板とを備え、前記背面部または前記ベース板は、前記隅金具を前記隅角部に設置するにあたり障害となる物を回避させるための回避孔を有することを特徴とする耐震装置が提供される。
【００１３】
本考案に係る耐震装置は、隅金具を備え、その隅金具の前記背面部または前記ベース板は、前記隅金具を前記隅角部に設置するにあたり障害となる物を回避するための回避孔を有する。
これにより、隅金具を設置する際、軸枠の隅角部に障害物があっても、その障害物が背面部またはベース板に設けられた回避孔により回避される。
【考案の効果】
【００１４】
本考案は、隅金具を設置する際、軸枠構面の隅角部に障害物があっても、その障害物が背面部またはベース板に設けられた回避孔により回避される。その結果、工事工程の順序によって、柱抜け止め部材が予め隅角部に固定され、それが隅金具設置に際して障害となった場合でも、耐震装置の筋かい固定用の隅金具を容易に取り付けることができる。
【図面の簡単な説明】
【００１５】
【図１】本考案に係る隅金具を示す斜視図である。
【図２】本考案に係る隅金具を示す上面図である。
【図３】本考案に係る隅金具を示す正面図である。
【図４】本考案に係る隅金具の設置前の状態を示す斜視図である。
【図５】本考案に係る隅金具の設置後の状態を示す斜視図である。
【図６】本考案に係る隅金具の設置後の状態を示す断面図である。
【図７】本考案に係る隅金具の設置後の状態を示す断面図である。
【図８】本考案に係る止金物の設置例を示す正面図である。
【図９】本考案に係る止金物の設置前の状態を示す斜視図である。
【図１０】木製筋かいを連結するための従来の隅金具を示す斜視図である。
【図１１】従来の隅金具に木製筋かいを連結した状態を示す図である。
【図１２】鋼管筋かいを連結するための従来の隅金具を示す図である。
【図１３】従来の隅金具の設置例を示す正面図である。
【考案を実施するための形態】
【００１６】
本考案に係る隅金具・止金物及び耐震装置の実施形態を説明する。
図１は本実施形態に係る隅金具１の斜視図であり、図２は隅金具１の上面図であり、図３は隅金具１の正面図である。
【００１７】
図１と図２と図３で示す通り、隅金具１は、背面部２（背面部２ａと背面部２ｂ）と、ベース板３と、半管部材４と、筋かい固定板５とからなる。
背面部２とベース板３は、一枚の金属板を折り曲げて加工して、その縦断面がＬ字型に形成されたものである。
背面部２は、背面部２ａ、背面部２ｂとからなる。背面部２ａ及び背面部２ｂは、長方形の金属板であり、各々３〜５個の螺子穴１１を有する。
背面部２ａと背面部２ｂは、保持部材としての半管部材４により連結されている。図１に示すとおり、半管部材４は、Ｕ字型の半筒状部材（縦長の部材）であり、半管部材４の左側端辺と背面板２ａの右側端辺とを固着し、更に半管部材４の右側端辺と背面板２ｂの左側端辺とを固着する。これにより背面部２ａと背面部２ｂとは連結され、背面部２ａと背面部２ｂの間には第一孔（回避孔）としての背抜き部１３が形成される。
背抜き部１３の横幅（背面部２ａの右側端辺と背面部２ｂの左側端辺との距離）は、後述するホールダウンボルト２１の直径よりも広く形成されている。
【００１８】
ベース板３は、長方形の金属板であり、左側及び右側に各々４〜５個の取付孔（螺子穴１１）を有する。また、図２に示すとおり、ベース板３は、ベース板３の根本側の辺（背面部２に接する辺）から先端辺方向に伸びる第二孔（回避孔）としての凹部１４を有し、凹部１４と背抜き部１３とは一連の空間部を形成する。凹部１４の横幅は、後述するホールダウンボルト２１の直径よりも広く形成されている。凹部１４の長さ（ベース板３の根本側の辺から先端辺方向に伸びる長さ）は、後述する主柱２０とホールダウンボルト２１との距離よりも長くなるよう形成されている。
【００１９】
図４及び図５は、隅金具１の設置方法に関する斜視図であり、図６は、図５のＡ−Ａ断面図である。
上記の通り、家屋の工事には工程上の順序があり、鉄筋コンクリート製布基礎の天端均しに次いで墨出しの後、芯墨に合わせて土台２３を設置して主柱２０を建込み、梁・桁を掛け渡し、建入り（水平・垂直）を調整しつつ木造筋かいを取り付け乍ら釘うちで軸組を固め、さらにホールダウンボルト２１をホールダウン金物２２及び土台２３に固定するという順序を経て建て方工事が終わる。その後に先やりで筋かい固定の隅金具１を設置し、鋼管筋かいをきっちりハイテンションボルトで固定して留めつける。すなわち、隅金具１の設置より先にホールダウンボルト２１を設置する。
この場合、従来の隅金具５１または隅金具６１では、ホールダウンボルト２１が障害になって事実上設置できないが、本考案の隅金具１の場合は、背面部２に背抜き部１３を備え、且つベース板３には凹部１４を備えているので、上記のようにホールダウンボルト２１が固定された後であっても、ホールダウンボルト２１を、背抜き部１３に通して凹部１４に収容することにより回避し、図６のように隅金具１を容易に設置できるのである。
【００２０】
なお、上記の例では、工程の関係で隅金具１の取付けより先に、ホールダウンボルト２１を固定した例を説明したが、他にも、ホールダウンボルト２１は未だ固定していないが、位置ずれ等により、主柱２０とホールダウンボルト２１とが極めて接近する状態で、ホールダウンボルト２１を設置せざるを得なくなる場合がある。この場合、従来の隅金具６１では、背面部６２の背板が障害となり、隅金具６１を設置できない。一方、本実施例に係る隅金具１は、背面部２に背抜き部１３を備え、ベース板３には凹部１４を備えているので、背面部２は設置の障害にならず、図７のように隅金具１を容易に設置できるのであるのである。
【００２１】
上記の隅金具１は、柱材２０と土台２３とからなる隅角部に取り付け、筋かいを固定するものである。一方、図８は止金物３１の設置方法に関する正面図である。図８のように土台２３よりやや上（または、桁梁３３よりやや下）に鋼管筋かい３４を固定する場合には、隅金具１ではなく止金物３１を使用する。この止金物３１の構成は、図９の通りである。止金物３１は、背面部３２を備える点で上記隅金具１と構成が同じであるが、ベース板を備えていない点で上記隅金具１とはその構成と作用が異なる。この隅金具３１は、背面部３２に背抜き部１３があるので、ホールダウン金物２２が先に主柱２０に取り付けられている場合でも、容易に取り付けることができる。
【符号の説明】
【００２２】
１  隅金具
２  背面部
３  ベース板
４  半管部材
５  筋かい固定板
１３  背抜き部
１４  凹部
１１  螺子穴
２０  主柱
２２  ホールダウン金物
２１  ホールダウンボルト
２３  土台
３１  止金物
３３  桁梁
３２  背面部
３４  鋼管筋かい
【図１】
0003193466.tif 000003
【図２】
0003193466.tif 000004
【図３】
0003193466.tif 000005
【図４】
0003193466.tif 000006
【図５】
0003193466.tif 000007
【図６】
0003193466.tif 000008
【図７】
0003193466.tif 000009
【図８】
0003193466.tif 000010
【図９】
0003193466.tif 000011
【図１０】
0003193466.tif 000012
【図１１】
0003193466.tif 000013
【図１２】
0003193466.tif 000014
【図１３】
0003193466.tif 000015